(57)【要約】【課題】所定の高濃度の電解水を生成する電解水生成装置を共用しつつ複数の浄化装置に所要濃度の電解水を安定供給できるようにすること。【解決手段】所定濃度の電解水を生成する電解水生成装置３と、この電解水生成装置の電解水を希釈して電解水生成装置３の電解水よりも低い濃度の電解水を生成する電解水希釈装置９、１３と、電解水生成装置３及び電解水希釈装置９、１３の電解水をそれぞれ利用する複数の浄化装置４、１１、１２、１９とを備え、高濃度の電解水を使用する浄化装置４には電解水生成装置３の電解水をそのまま供給し、低い濃度の電解水を使用する浄化装置１１、１２、１９には電解水希釈装置９、１３で濃度調整された電解水を供給することにより、複数の浄化装置にそれぞれ異なる濃度の電解水を安定供給する。【選択図】図１
2011156443.tif 000002
【特許請求の範囲】
【請求項１】
所定濃度の電解水を生成する電解水生成装置と、この電解水生成装置の電解水を希釈して電解水生成装置の電解水よりも低い濃度の電解水を生成する電解水希釈装置と、電解水生成装置及び電解水希釈装置の電解水をそれぞれ利用する複数の浄化装置とを備えたことを特徴とする電解水供給システム。
【請求項２】
高濃度の電解水を生成する電解水生成装置と、この電解水生成装置の電解水を希釈して中濃度の電解水を生成する第１の電解水希釈装置と、前記電解水生成装置の電解水を希釈して低濃度の電解水を生成する第２の電解水希釈装置と、電解水生成装置、第１の電解水希釈装置及び第２の電解水希釈装置の電解水をそれぞれ利用する複数の浄化装置とを備えたことを特徴とする電解水供給システム。
【請求項３】
前記電解水希釈装置に希釈水を供給する配管には純水製造装置が設けられていることを特徴とする請求項１又は請求項２に記載の電解水供給システム。
【請求項４】
電解水希釈装置は電解水生成装置の電解水と希釈水とを一定の比率で混合した電解水を希釈タンクに貯留し、かつ、希釈タンクに貯留された電解水を浄化装置に供給するものであることを特徴とする請求項１又は請求項２に記載の電解水供給システム。
【請求項５】
電解水希釈装置は希釈タンクに貯留された水を電解水生成装置の電解水と混合して所定の電解水濃度になるようにし、且つ、希釈タンクの電解水を浄化装置に供給するものであることを特徴とする請求項１又は請求項２に記載の電解水供給システム。
【請求項６】
電解水希釈装置は電解水生成装置の電解水を貯留タンクに貯留し、且つ、浄化装置に流れる水と貯留タンクの電解水を所定の割合で混合・撹拌して浄化装置に供給するものであることを特徴とする請求項１又は請求項２に記載の電解水供給システム。
【請求項７】
電解水希釈装置は電解水生成装置の電解水と希釈水とを所定の割合で混合・撹拌して浄化装置に供給するものであることを特徴とする請求項１又は請求項２に記載の電解水供給システム。
【請求項８】
前記浄化装置に低濃度の電解水をミスト状に噴霧する２流体噴霧ノズルを使用し、且つ、この噴霧ノズルは人感センサーにより人がいないときに噴霧するようにしたことを特徴とする請求項１又は請求項２に記載の電解水供給システム。
【発明の詳細な説明】
【技術分野】
【０００１】
本発明は、電解水生成装置で生成された電解水を浄化装置に供給して空気清浄や除菌を行うようにした電解水供給システムに関する。
【背景技術】
【０００２】
電解水を利用する浄化装置では空気清浄や手洗い除菌や空中の噴霧除菌等の用途に応じて使用する電解水の濃度が異なるため、複数の浄化装置を使用する場合には浄化装置毎に電解水生成装置を設けなければならず、電解水の濃度管理が面倒になる問題があった。そこで、所定の高濃度に管理された電解水生成装置の電解水を複数の分配管に分配し、各分配管ごとに電解水を水と混合して所定の低濃度の電解水として複数の浄化装置に供給するようにした電解水供給システムが提案されている（特許文献１参照）。
【先行技術文献】
【特許文献】
【０００３】
【特許文献１】特開２００８−１３６９８０号公報
【発明の概要】
【発明が解決しようとする課題】
【０００４】
しかしながら、この電解水供給システムでは、各分配管で電解水を水と混合して電解水濃度を調整しているため、構成が複雑となり、電解水濃度の調整が大雑把となり、浄化装置に供給される電解水の濃度が不安定となる欠点があった。
【０００５】
そこで本発明は、前述した問題点に鑑み、所定の高濃度の電解水を生成する電解水生成装置を共用しつつ、構成を簡単にし、複数の浄化装置に所要濃度の電解水を安定供給できるようにすることを目的とする。
【課題を解決するための手段】
【０００６】
このため電解水供給システムに係る第１の発明は、所定濃度の電解水を生成する電解水生成装置と、この電解水生成装置の電解水を希釈して電解水生成装置の電解水よりも低い濃度の電解水を生成する電解水希釈装置と、電解水生成装置及び電解水希釈装置の電解水をそれぞれ利用する複数の浄化装置とを備えたことを特徴とする。
【０００７】
電解水供給システムに係る第２の発明は、高濃度の電解水を生成する電解水生成装置と、この電解水生成装置の電解水を希釈して中濃度の電解水を生成する第１の電解水希釈装置と、前記電解水生成装置の電解水を希釈して低濃度の電解水を生成する第２の電解水希釈装置と、電解水生成装置、第１の電解水希釈装置及び第２の電解水希釈装置の電解水をそれぞれ利用する複数の浄化装置とを備えたことを特徴とする。
【０００８】
電解水供給システムに係る第３の発明は、第１又は第２の発明において、前記電解水希釈装置に希釈水を供給する配管には純水製造装置が設けられていることを特徴とする。
【０００９】
電解水供給システムに係る第４の発明は、第１又は第２の発明において、電解水希釈装置は電解水生成装置の電解水と希釈水とを一定の比率で混合した電解水を希釈タンクに貯留し、かつ、希釈タンクに貯留された電解水を浄化装置に供給するものであることを特徴とする。
【００１０】
電解水供給システムに係る第５の発明は、第１又は第２の発明において、電解水希釈装置は希釈タンクに貯留された水を電解水生成装置の電解水と混合して所定の電解水濃度になるようにし、且つ、希釈タンクの電解水を浄化装置に供給するものであることを特徴とする。
【００１１】
電解水供給システムに係る第６の発明は、第１又は第２の発明において、電解水希釈装置は電解水生成装置の電解水を貯留タンクに貯留し、且つ、浄化装置に流れる水と貯留タンクの電解水を所定の割合で混合・撹拌して浄化装置に供給するものであることを特徴とする。
【００１２】
電解水供給システムに係る第７の発明は、第１又は第２の発明において、電解水希釈装置は電解水生成装置の電解水と希釈水とを所定の割合で混合・撹拌して浄化装置に供給するものであることを特徴とする。
【００１３】
電解水供給システムに係る第８の発明は、第１又は第２の発明において、前記浄化装置に低濃度の電解水をミスト状に噴霧する２流体噴霧ノズルを使用し、且つ、この噴霧ノズルは人感センサーにより人がいないときに噴霧するようにしたことを特徴とする。
【発明の効果】
【００１４】
本発明によれば、高濃度の電解水を使用する浄化装置には電解水生成装置の電解水をそのまま供給し、中濃度又は低濃度の電解水を使用する浄化装置には電解水生成装置の電解水を電解水希釈装置で必要な濃度に希釈して供給するようにしたので、所定の高濃度の電解水を生成する電解水生成装置を共用しつつ、構成を簡単にし、複数の浄化装置に所要濃度の電解水を安定供給し、空気清浄や手洗い除菌や空気中の除菌などを効率良く、かつ、適度に行うことができる。
【図面の簡単な説明】
【００１５】
【図１】本発明の電解水供給システムの概略構成説明図である。
【図２】本発明の他の電解水供給システムの概略構成説明図である。
【図３】電解水供給システムで使用する電解水希釈装置の一例を示す概略構成説明図である。
【図４】図３の電解水希釈装置の制御装置の一例を示すブロック図である。
【図５】図４の制御装置の動作を説明するフローチャートである。
【図６】電解水供給システムで使用する電解水希釈装置の他の一例を示す概略構成説明図である。
【図７】図６の電解水希釈装置の制御装置の一例を示すブロック図である。
【図８】図７の制御装置の動作を説明するフローチャートである。
【図９】電解水供給システムで使用する電解水希釈装置の他の一例を示す概略構成説明図である。
【図１０】図９の電解水希釈装置の制御装置の一例を示すブロック図である。
【図１１】図１０の制御装置の動作を説明するフローチャートである。
【図１２】電解水供給システムで使用する電解水希釈装置の他の一例を示す概略構成説明図である。
【図１３】図１２の電解水希釈装置の制御装置の一例を示すブロック図である。
【図１４】図１３の制御装置の動作を説明するフローチャートである。
【発明を実施するための形態】
【００１６】
以下、本発明を実施するための最良の形態について、図１乃至図１４を参照しながら説明する。図１に示す電解水供給システムにおいて、１は水道水が供給される給水管、２は前記給水管１から水道水（上水）が供給されると共に塩化ナトリウム（食塩）や塩化カリウム等の塩化物イオンを含む電解促進剤（電気分解促進剤）が随時補給される電解促進剤タンクであり、電解促進剤タンク２には電解促進剤の水溶液が貯留されている。
【００１７】
３は給水管１から水道水が供給されるとともに電解促進剤タンク２から電解促進剤の水溶液が供給される電解水生成装置であり、この電解水生成装置３は電極を内蔵し、電気分解を行うことによって比較的高濃度（例えば、有効塩素濃度が６０００ｍｇ／Ｌ）の次亜塩素酸等を含む電解水を生成するものである。
【００１８】
４は電解水生成装置３で生成された次亜塩素酸を含む電解水を利用する空気清浄機（第１の浄化装置）であり、電解水を貯留する電解槽５とこの電解槽５の電解水が滴下される除菌エレメント６と室内空気を除菌エレメント６に供給するダクト７及び送風ファン８とで構成され、比較的高濃度の電解水が湿潤された除菌エレメント６に室内空気を通すことにより室内空気を除菌しつつ、清浄するものである。
【００１９】
９は給水管１から水道水が供給されると共に電解水生成装置３から電解水が供給される第１の電解水希釈装置である。この電解水希釈装置９は、後述するように、高濃度の電解水を水道水と混合して中濃度（例えば、有効塩素濃度が１０ｍｇ／Ｌ以上）の電解水とし、第１の電解水希釈装置９の電解水は除菌水供給ポンプ１０を介して手洗い蛇口としての電磁弁（第２の浄化装置）１１及び１２に供給される。
【００２０】
１３は第２の電解水希釈装置で、給水管１の水道水を活性炭フィルター１４、イオン交換樹脂１５及びセグメントフィルター１６からなる純水製造装置１７に通すことにより不純物（水道水中のカルシウム、マグネシウム等のミネラル）が除去された純水が供給されると共に電解水生成装置３から電解水が供給される。この電解水希釈装置１３は高濃度の電解水を純水と混合して低濃度（例えば、有効塩素濃度が１０ｍｇ／Ｌ未満）の電解水とし、第２の電解水希釈装置１３の電解水は除菌水供給ポンプ１８を介して除菌水噴霧用の噴霧ノズル１９（第３の浄化装置）に供給される。
【００２１】
２流体式の噴霧ノズル１９は低濃度の電解水をエアポンプ２０から供給される空気と混合してミスト状に噴霧する２流体噴霧ノズルを使用しており、且つ、この噴霧ノズル１５は人感センサーにより人がいないときに噴霧するようにして、無駄もなく、人体に影響なく、空気中の除菌が行えるようにしている。また、第２の電解水希釈装置１３の希釈水は純水製造装置１７で不純物が除去された純水が使用されているため、噴霧ノズル１９から白い粉のような不純物を撒き散らして、床等の周囲の構造物を汚す心配がない。
【００２２】
上述した電解水供給システムでは２つの電解水希釈装置を使用したが、図２に示すように１つの電解水希釈装置９又は１３を共用し、手洗い用の電磁弁１１、１２と噴霧ノズル１９に中濃度又は低濃度の電解水を供給するようにしてもよい。
【００２３】
電解水希釈装置９の第１の実施形態を示す図３に示すように、電解水希釈装置９は、例えば水位センサー２１付きの希釈タンク２２と、給水管１から分岐して希釈タンク２２に水道水（上水）を供給する分岐管１Ａに設けられた電磁弁２３及び定流量弁２４と、電解水生成装置３と分岐管１Ａを連結する電解水供給管２５に設けられた電解水供給ポンプ２６と、除菌水供給ポンプ１０に設けられた圧力スイッチ２７と、前記水位センサー２１と圧力スイッチ２７の信号に応じて電磁弁２３、電解水供給ポンプ２６及び除菌水供給ポンプ１０を制御する制御装置２８とからなり、電解水希釈装置１３についても同様な構成である。
【００２４】
図４に示すように、前記制御装置２８はマイクロコンピュータより構成され、水位センサー２１と圧力スイッチ２７の信号が入力され、制御装置２８の出力信号が電磁弁２３、電解水供給ポンプ２６及び除菌水供給ポンプ１０に出力され、これらを制御する。水位センサー２１の信号は異常渇水位レベルＬ１、通常低水位レベルＬ２、通常満水位レベルＬ３及び異常高水位レベルＬ４の４種類であり、各水位はＬ１＜Ｌ２＜Ｌ３＜Ｌ４に設定されている。
【００２５】
次に、図５に示すフローチャートに基づいて、制御装置２８の動作を説明する。初めに、制御装置２８は水位センサー２１からの信号で希釈タンク２２の水位が通常満水位レベルＬ３以下であるかを判定し（ステップＳ０１）、通常満水位レベルＬ３以下であるときは更に希釈タンク２２の水位が通常低水位レベルＬ２以下であるかを判定し（ステップＳ０２）、通常低水位レベルＬ２以下であるときは電解水供給ポンプ２６及び電磁弁２３をＯＮ（オン）にする（ステップＳ０３）。
【００２６】
このため、電解水生成装置３の高濃度の電解水と所定流量の水道水（電解水希釈装置１３では純水）が分岐管１Ａで一定の比率で混ざりながら希釈タンク２２に流入し、希釈タンク２２には中濃度（電解水希釈装置１３では低濃度又は中濃度）の電解水が貯留され、希釈タンク２２の水位が上昇する。なお、希釈タンク２２の水位が上昇して通常満水位レベルＬ３を上回ると、制御装置２８は電解水供給ポンプ２６及び電磁弁２３をＯＦＦとし（ステップＳ０４）、希釈タンク２２には所定濃度の電解水が通常満水位レベルＬ３と通常低水位レベルＬ２との間に貯水されるようにしている。
【００２７】
そして、通常低水位レベルＬ２以下であると判定されて電解水供給ポンプ２６及び電磁弁２３をＯＮした後に、又は通常低水位レベルＬ２より高いと判定された場合には、次に希釈タンク２２の水位が異常渇水位レベルＬ１以上であるかが制御装置２８により判定される（ステップＳ０５）。そして、異常渇水位レベルＬ１以上でないと判定されると、除菌水供給ポンプ１０をＯＮさせない（ステップＳ１０）。即ち、電磁弁２３等の故障により希釈タンク２２の水位が通常渇水位レベルＬ１を下回り、空運転の心配があるときは除菌水供給ポンプ１０をＯＦＦのままとするものである。
【００２８】
また、異常渇水位レベルＬ１以上と判定されると、除菌水供給ポンプ１０の空運転の心配がないときには圧力スイッチ２７の信号が０．１６ＭＰａ以下であるかが判定され（ステップＳ０６）、０．１６ＭＰａ以下でないと判定されると、除菌水供給ポンプ１０をＯＮさせないで（ステップＳ０９）、ステップＳ０１に戻る。
【００２９】
そして、ステップＳ０６において、０．１６ＭＰａ以下であると判定されると、さらに０．１ＭＰａ以下であるかが判定され（ステップＳ０７）、０．１ＭＰａ以下でないと判定された場合には、ステップＳ０１に戻る。また、０．１ＭＰａ以下であると判定されると、除菌水供給ポンプ１０をＯＮにする（ステップＳ０８）。このことにより、除菌水供給管路の圧力を０．１ＭＰａと０．１６ＭＰａの間に維持して、手洗い用の電磁弁１１、１２からいつでも希釈タンク２２の電解水を除菌水として取り出せるようにしている。
【００３０】
なお、希釈タンク２２の水位が異常高水位レベルＬ４以上になったら警報を発し、システムの運転を停止する。
【００３１】
電解水希釈装置９の第２の実施形態を示す図６に示すように、電解水希釈装置９は、希釈タンク２２に分岐管１Ａからボールタップ３０（希釈タンク２２の水位が異常高水位レベルＬ４になったときに供給口を塞ぐ）の開閉により一定水位の水道水が供給されるようにし、この希釈タンク２２の水は循環ポンプ３１及び残留塩素センサー３２を備えた循環路３３を循環しながら電解水生成装置３の高濃度の電解水と混合され、制御装置２８により所定濃度（中濃度又は低濃度）の電解水として希釈タンク２２に貯留されるようにしてある。
【００３２】
図７に示すように、制御装置２８に残留塩素センサー３２と圧力スイッチ２７と水位センサー２１の信号が入力され、制御装置２８の出力信号が電解水供給ポンプ２６、循環ポンプ３１、除菌水供給ポンプ１０、給水ランプ３４、除菌水供給ＯＫランプ３５及び異常ランプ３６に出力され、これらを制御する。
【００３３】
図８に示すフローチャートに基づいて、制御装置２８の動作を説明する。初めに、制御装置２８は水位センサー２１からの信号で希釈タンク２２の水位が異常渇水位レベルＬ１以上であるかを判定し（ステップＳ１１）、異常渇水位レベルＬ１以上でないと判定すると、循環ポンプ３１、電解水供給ポンプ２６及び除菌水供給ポンプ１０をＯＦＦのままとして（ステップＳ２３）、空運転を防止しつつ異常ランプ３６を点灯させてシステムの異常を報知する。この場合、ボールタップ３０等の故障により希釈タンク２２に給水が行われなかったものと思われる。
【００３４】
また、異常渇水位レベルＬ１以上であると判定されると、即ちボールタップ３０を介しての給水により希釈タンク２２の水位が一定水位に保たれているときは異常渇水位レベルＬ１以上であるため、循環ポンプ３１をＯＮにする（ステップＳ１２）。
【００３５】
そして、循環ポンプ３１が運転すると、希釈タンク２２の水が循環路３３を循環し、残留塩素濃度センサー３２により循環水の残留塩素濃度（電解水濃度）が検出される。ここで、残留塩素濃度が１０ｍｇ／Ｌ以下であるかが判定され（ステップＳ１３）、残留塩素濃度が１０ｍｇ／Ｌ以下と判定されると、電解水供給ポンプ２６をＯＮとし（ステップＳ１４）、電解水生成装置３の高濃度の電解水が電解水供給管２５を介して循環路３３に供給され、希釈タンク２２の水の電解水濃度が高められる。また、１０ｍｇ／Ｌ以下でない判定されると、即ち１０ｍｇ／Ｌを超えると電解水供給ポンプ２６をＯＦＦとして（ステップＳ１５）、高濃度の電解水の混合が行われなくなる。
【００３６】
以上のように、１０ｍｇ／Ｌを超えると電解水供給ポンプ２６がＯＦＦとされ、又は１０ｍｇ／Ｌ以下と判定されて電解水供給ポンプ２６がＯＮとされると、次に残留塩素濃度が除菌に必要な８ｍｇ／Ｌ以上か否かが判定される（ステップＳ１６）。この場合、８ｍｇ／Ｌ以上でないと判定されると、除菌水供給ＯＫランプ３５を消灯させ（ステップＳ１８）、給水ランプ３４を消灯すると共に除菌水供給ポンプ１０をＯＦＦにする（ステップＳ２２）。
【００３７】
また、希釈タンク２２の電解水濃度管理により残留塩素濃度センサー３２が除菌に必要な８ｍｇ／Ｌ以上の残留塩素濃度を検出すると（ステップＳ１６）、除菌水供給ＯＫランプ３５を点灯させる（ステップＳ１７）。
【００３８】
以上のように、運転開始当初のように残留塩素濃度が８ｍｇ／Ｌ未満のときは除菌水供給ＯＫランプ３５を消灯させることにより、電磁弁１１、１２からの手洗い用の除菌水の供給の可否がわかるようにしている。
【００３９】
次に、除菌水供給ＯＫランプ３５の点灯中に、圧力スイッチ２７の信号が０．１６ＭＰａ以下であるか否かが判定され（ステップＳ１９）、０．１６ＭＰａ以下でないと判定されると、給水ランプ３４を消灯させると共に除菌水供給ポンプ１０をＯＮさせないで（ステップＳ２２）、ステップＳ０１に戻る。
【００４０】
そして、ステップＳ１９において、０．１６ＭＰａ以下であると判定されると、さらに０．１ＭＰａ以下であるかが判定され（ステップＳ２０）、０．１ＭＰａ以下でないと判定された場合には、ステップＳ０１に戻る。また、除菌水供給管路の圧力が０１ＭＰａ以下であると判定されると、給水ランプ３４を点灯させると共に除菌水．供給ポンプ１０をＯＮにする（ステップＳ２１）。このことにより、除菌水供給管路の圧力を０．１ＭＰａと０．１６ＭＰａの間に維持して、手洗い用の電磁弁１１、１２からいつでも希釈タンク２２の電解水を除菌水として取り出せるようにしている。
【００４１】
電解水希釈装置９の第３の実施形態を示す図９に示すように、電解水希釈装置９は循環／除菌水供給ポンプ３７と残留塩素センサー３２との間の循環路３３を除菌水供給路３８を介して手洗い用の電磁弁１１、１２に接続したものであり、電磁弁１１，１２の近傍には給水スイッチ又は赤外線センサー３９が設けられている。
【００４２】
このものでも図６に示す電解水希釈装置９と同様に希釈タンク２２の水が循環路３３で電解水生成装置３の高濃度の電解水と混合され、制御装置２８により所定濃度（中濃度又は低濃度）の電解水として希釈タンク２２に貯留されるとともに、給水スイッチの操作又は赤外線センサー３９による手指の検出により手洗い用の電磁弁１１、１２が開き、希釈タンク２２の電解水が除菌水として利用されるようにしてある。
【００４３】
図１０に示すように、制御装置２８に残留塩素センサー３２と水位センサー２１と給水スイッチ又は赤外線センサー３９の信号が入力され、制御装置２８の出力信号が電解水供給ポンプ２６、循環／除菌水供給ポンプ３７、電磁弁１１、１２、給水ランプ３４、除菌水供給ＯＫランプ３５及び異常ランプ３６に出力され、これらを制御する。
【００４４】
図１１に示すフローチャートに基づいて、制御装置２８の動作を説明する。初めに、制御装置２８は水位センサー２１からの信号で希釈タンク２２の水位が異常渇水位レベルＬ１以上であるかを判定する（ステップＳ３１）。そして、異常渇水位レベルＬ１以上でないと判定すると、即ち異常渇水位レベルＬ１を下回るときには、循環／除菌水供給ポンプ３７及び電解水供給ポンプ２６をＯＦＦのままとして（ステップＳ４４）、空運転を防止しつつ異常ランプ３６を点灯してシステムの異常を報知する。この場合、この場合、ボールタップ３０等の故障により希釈タンク２２に給水が行われなかったものと思われる。
【００４５】
また、希釈タンク２２の水位が一定水位に保たれて、異常渇水位レベルＬ１以上と判定されると、循環／除菌水供給ポンプ３７をＯＮにする（ステップＳ３２）。
【００４６】
そして、循環／除菌水供給ポンプ３７（第２の実施形態の循環ポンプ３１と同様な機能を有する。）が運転すると、希釈タンク２２の水が循環路３３を循環し、残留塩素濃度センサー３２により循環水の残留塩素濃度（電解水濃度）が検出される。ここで、残留塩素濃度が１０ｍｇ／Ｌ以下か否かが判定され（ステップＳ３３）、１０ｍｇ／Ｌ以下と判定されると、電解水供給ポンプ２６をＯＮとして（ステップＳ３４）、電解水生成装置３の高濃度の電解水が電解水供給管２５を介して循環路３３に供給され、希釈タンク２２の水の電解水濃度が高められる。そして、残留塩素濃度センサー３２が検出する残留塩素濃度が１０ｍｇ／Ｌを超えると電解水供給ポンプ２６をＯＦＦとし（ステップＳ３５）、高濃度の電解水の混合が行われなくなるため、希釈タンク２２の水の電解水濃度は１０ｍｇ／Ｌ近傍に維持される。
【００４７】
また、次に、残留塩素濃度センサー３２が除菌に必要な８ｍｇ／Ｌ以上か否かが判定され（ステップＳ３６）、上述した希釈タンクの電解水濃度管理により残留塩素濃度センサー３２が除菌に必要な８ｍｇ／Ｌ以上の残留塩素濃度を検出すると、除菌水供給ＯＫランプ３５を点灯させ（ステップＳ３７）、また運転開始当初のように残留塩素濃度が８ｍｇ／Ｌ未満のときは除菌水供給ＯＫランプ３５を消灯することにより（ステップＳ３８）、電磁弁１１、１２からの手洗い用の除菌水の供給の可否がわかるようにしている。
【００４８】
そして、除菌水供給ＯＫランプ３５の点灯中において、給水スイッチ又は赤外線センサー３９がＯＮであるか（ステップＳ３９）を判定し、給水スイッチ又は赤外線センサー３９がＯＮのときは電磁弁１１、１２をＯＮとする（ステップＳ４０）と共に給水ランプ３４を点灯させ（ステップＳ４１）、希釈タンク２２の電解水がＯＮしている循環／除菌水供給ポンプ３７（第２の実施形態の除菌水供給ポンプ１０の機能を有する。）及び除菌水供給路３８を介して手洗い用の電磁弁１１，１２に供給され、除菌水として利用される。また、除菌水供給ＯＫランプ３５の消灯中や給水スイッチ又は赤外線センサー３９がＯＮでないときは電磁弁１１、１２はＯＦＦとなると（ステップＳ４２）共に給水ランプ３４を消灯し（ステップＳ４３）、除菌水の給水が行われないことを知らせる。
【００４９】
なお、この第３の実施形態における前述の循環／除菌水供給ポンプ３７は第２の実施形態の循環ポンプ３１と除菌水供給ポンプ１０とを兼用しており、簡易な構成となり、安価な構成となる。
【００５０】
電解水希釈装置９の第４の実施形態を示す図１２に示すように、電解水希釈装置９は水位センサー４１を備えた貯留タンク４２を備え、電解水生成装置３の高濃度の電解水を電解水供給ポンプ２６を有する電解水供給管２５を介して貯留タンク４２に貯留するようにしている。そして、水道水（上水）を供給する分岐管１Ａには流量センサー４３、撹拌器４４及び手洗い用の電磁弁１１、１２が順次設けられ、貯留タンク４２の電解水が除菌水供給ポンプ４５を有する除菌水供給管４６を介して流量センサー４３と撹拌器４４との間の分岐管１Ａに供給されるようにしている。
【００５１】
制御装置４７は水位センサー４１の信号に応じて貯留タンク４２の電解水の水位を通常満水位レベルＬ３と通常低水位レベルＬ２の間に維持し、異常渇水位レベルＬ１以下ではポンプの空運転を防止し、異常高水位レベルＬ４以上では警報を発するようにしている。また、分岐管１Ａを流れる水道水（上水）流量に応じて除菌水供給ポンプ４５の吐出量を比例制御し、撹拌器４４で高濃度の電解水を中濃度又は低濃度に希釈・混合して電磁弁１１、１２に供給するようにしている。
【００５２】
図１３に示すように、マイクロコンピュータよりなる制御装置４７は流量センサー４３と水位センサー４１の信号が入力され、制御装置４７の出力信号が電解水供給ポンプ２６及び除菌水供給ポンプ４５に出力され、これらを制御する。水位センサー２１の信号は異常渇水位レベルＬ１、通常低水位レベルＬ２、通常高水位レベルＬ３及び異常高水位レベルＬ４の４種類であり、各水位はＬ１＜Ｌ２＜Ｌ３＜Ｌ４に設定されている。
【００５３】
図１４に示すフローチャートに基づいて、制御装置４７の動作を説明する。初めに、制御装置４７は水位センサー４１からの信号で貯留タンク４２の水位が通常満水位レベルＬ３以下であるかを判定し（ステップＳ５１）、通常満水位レベルＬ３以下であるときはさらに貯留タンク４２の水位が通常低水位レベルＬ２以下であるかを判定し（ステップＳ５２）、通常低水位レベルＬ２以下であるときは電解水供給ポンプ２６をＯＮにする（ステップＳ５３）。
【００５４】
このため、電解水生成装置３の高濃度の電解水が電解水供給管２５を介して分貯留タンク４２に流入し、貯留タンク４２の水位が上昇する。そして、貯留タンク４２の水位が上昇して通常満水位レベルＬ３を上回ると電解水供給ポンプ２６をＯＦＦとし（ステップＳ５４）、貯留タンク４２には高濃度の電解水が通常満水位レベルＬ３と通常低水位レベルＬ２との間に貯水されるようにしている。
【００５５】
そして、貯留タンク４２の水位が通常満水位レベルＬ３以下でない場合や、通常満水位レベルＬ３以下であって通常低水位レベルＬ２以下でない場合や、通常満水位レベルＬ３以下であって通常低水位レベルＬ２以下であり且つ電解水供給ポンプ２６をＯＮした後に、次に貯水タンク４２の水位が異常渇水位レベルＬ１以上であるかが判定される（ステップＳ５５）。
【００５６】
この場合、異常渇水位レベルＬ１以上で除菌水供給ポンプ４５の空運転の心配がないときには、分岐管１Ａを流れる水道水（上水）流量を流量センサー４３が検知し、除菌水供給ポンプ４５をＯＮして流量センサー４３の信号に応じてこの除菌水供給ポンプ４５の吐出量を比例制御する（ステップＳ５６）ことにより、撹拌器４４で高濃度の電解水を中濃度又は低濃度に希釈・混合して電磁弁１１、１２に供給し、手洗い用の電磁弁１１、１２からいつでも所定の濃度に希釈された電解水を除菌水として取り出せるようにしている。
【００５７】
また、電解水供給ポンプ２６等の故障により貯留タンク４２の水位が異常渇水位レベルＬ１を下回り、空運転の心配があるときは除菌水供給ポンプ４５をＯＦＦのままとし（Ｓ５７）、逆に貯留タンク４２の水位が異常高水位レベルＬ４以上になったら警報を発し、システムの運転を停止する。
【００５８】
なお、図示しないが、電解水希釈装置９は貯留タンク４２を備えることなく、電解水生成装置３の高濃度の電解水を電解水供給ポンプ２６を有する電解水供給管を介して流量センサー４３と撹拌器４４との間の分岐管１Ａに供給されるようにしてもよい。
【００５９】
このようにすることにより、制御装置４７が分岐管１Ａを流れる水道水（上水）流量に応じて電解水供給ポンプ２６の吐出量を比例制御し、電解水生成装置３の高濃度の電解水を撹拌器４４で中濃度又は低濃度に希釈・混合して電磁弁１１、１２に供給するようにしてもよい。
【００６０】
上述した電解水供給システムでは、高濃度の電解水を使用する空気清浄機４には電解水生成装置３の電解水をそのまま供給し、中濃度又は低濃度の電解水を使用する手洗い用電磁弁１１、１２や噴霧ノズル１９には電解水生成装置３の電解水を電解水希釈装置９、１３で必要な濃度に希釈して供給するようにしたので、所定の高濃度の電解水を生成する電解水生成装置１を共用しつつ、構成を簡単にして複数の浄化装置に所要濃度の電解水を安定供給することができ、空気清浄や手洗い除菌や空気中の除菌などを効率良く、かつ、適度に行うことができる。
【００６１】
また、電解水希釈装置９、１３は、図３乃至図５、図６乃至図８、図９乃至図１１、並びに図１２乃至図１４で示すように、希釈タンク２２や貯留タンク４２及び撹拌器４４を用いるようにしたので、所定濃度に希釈された電解水を十分に確保して浄化装置に安定供給することができ、使い勝手に優れている。
【００６２】
なお、電磁弁１１及び１２を給水スイッチの操作又は赤外線センサー３９による手指の検出によって、通電させて開いて給水するようにしたが、機械的な蛇口を回して給水するようにしてもよい。
【００６３】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００６４】
３          電解水生成装置
４          空気清浄機（第１の浄化装置）
９          第１の電解水希釈装置
１１、１２  手洗い蛇口としての電磁弁（第２の浄化装置）
１３        第２の電解水希釈装置
１７        純水製造装置
１９        噴霧ノズル（第３の浄化装置）
２２        希釈タンク
２８、４７  制御装置
３２        残留塩素濃度センサー
【図１】
2011156443.tif 000003
【図２】
2011156443.tif 000004
【図３】
2011156443.tif 000005
【図４】
2011156443.tif 000006
【図５】
2011156443.tif 000007
【図６】
2011156443.tif 000008
【図７】
2011156443.tif 000009
【図８】
2011156443.tif 000010
【図９】
2011156443.tif 000011
【図１０】
2011156443.tif 000012
【図１１】
2011156443.tif 000013
【図１２】
2011156443.tif 000014
【図１３】
2011156443.tif 000015
【図１４】
2011156443.tif 000016